(57)【要約】【課題】ユーザに映像を立体視させるとともに、輻輳調節矛盾軽減用の光源が発する光をメガネ外部に漏らさないメガネを提供する。【解決手段】映像表示装置１００が、時分割で左目映像と右目映像を表示するとともに、上記時分割のタイミングに同期するシャッタ制御信号をシャッタ式メガネ１５０に送信する。シャッタ式メガネ１５０が、映像表示装置１００から受信したシャッタ制御信号に基づいて、時分割で右目用シャッタと左目用シャッタとを開閉制御する。右目用シャッタが閉じられる場合に、シャッタ式メガネ１５０が、右目用光源から光を照射させるとともに左目用光源からの光の照射を停止させる。そして、左目用シャッタが閉じられる場合に、シャッタ式メガネ１５０が、左目用光源から光を照射させるとともに右目用光源からの光の照射を停止させる。【選択図】図１
2012083657.tif 000002
【特許請求の範囲】
【請求項１】
ユーザに映像を立体視させるメガネであって、
表示装置が表示する左目映像を前記ユーザの左目に透過し、右目映像を前記ユーザの右目に透過する映像透過手段と、
前記メガネを装着したユーザの目に光を照射して瞳孔反応を誘発させる発光手段と、
前記発光手段が前記ユーザの目に照射した光が前記ユーザの目と前記映像透過手段との間の領域から前記メガネ外部に漏れることを防止する光漏れ防止制御手段とを備える
ことを特徴とするメガネ。
【請求項２】
前記映像透過手段は、前記メガネを装着したユーザの左目に対向する左目用シャッタと、該ユーザの右目に対向する右目用シャッタとを備え、
前記発光手段は、前記メガネを装着したユーザの左目に光を照射する左目用光源と、該ユーザの右目に光を照射する右目用光源とを備え、
前記表示装置は、時分割で前記左目映像と前記右目映像を表示するとともに、該時分割のタイミングに同期する制御信号を前記メガネに対して送信し、
前記光漏れ防止制御手段は、
前記制御信号を受信する制御信号受信手段と、
前記制御信号に基づいて、時分割で前記右目用シャッタと前記左目用シャッタとを開閉制御するシャッタ制御手段と、
前記制御信号に基づいて、前記右目用シャッタまたは前記左目用シャッタが閉じられるかを判断し、前記右目用シャッタが閉じられる場合に、前記右目用光源から光を照射させるとともに前記左目用光源からの光の照射を停止させ、前記左目用シャッタが閉じられる場合に、前記左目用光源から光を照射させるとともに前記右目用光源からの光の照射を停止させる光源制御手段とを備える
ことを特徴とする請求項１に記載のメガネ。
【請求項３】
前記メガネを装着した前記ユーザの左目と前記左目用シャッタとの間に形成される領域と、該ユーザの右目と前記右目用シャッタとの間に形成される領域との間に、光を遮る遮光手段が設けられている
ことを特徴とする請求項２に記載のメガネ。
【請求項４】
前記表示装置が表示する前記左目映像と前記右目映像とは、互いに直交する偏光方向を有し、
前記映像透過手段は、
前記メガネを装着したユーザの左目に対向するレンズであって、前記左目映像を透過し、前記右目映像を透過しない第１の偏光方向を有する左偏光レンズと、
前記メガネを装着したユーザの右目に対向するレンズであって、前記右目映像を透過し、前記右目映像を透過しない第２の偏光方向を有する右偏光レンズとを備え、
前記発光手段は、前記メガネを装着したユーザの左目に光を照射する左目用光源と、該ユーザの右目に光を照射する右目用光源とを備え、
前記光漏れ防止制御手段は、
前記左目用光源と前記ユーザの左目との間に設けられ、該左目用光源が照射する光に、前記第１の偏光方向と直交する方向の偏光をかける第１の偏光手段と、
前記右目用光源と前記ユーザの右目との間に設けられ、該右目用光源が照射する光に、前記第２の偏光方向と直交する方向の偏光をかける第２の偏光手段とを備える
ことを特徴とする請求項１に記載のメガネ。
【請求項５】
前記メガネを装着した前記ユーザの左目と前記左偏光レンズとの間に形成される領域と、該ユーザの右目と前記右偏光レンズとの間に形成される領域との間に、光を遮る遮光手段が設けられている
ことを特徴とする請求項４に記載のメガネ。
【請求項６】
左目映像と右目映像とを表示する表示装置と、
ユーザに映像を立体視させるメガネとを備え、
前記メガネは、
前記表示装置が表示する左目映像を前記ユーザの左目に透過し、右目映像を前記ユーザの右目に透過する映像透過手段と、
前記メガネを装着したユーザの目に光を照射して瞳孔反応を誘発させる発光手段と、
前記発光手段が前記ユーザの目に照射した光が前記ユーザの目と前記映像透過手段との間の領域から前記メガネ外部に漏れることを防止する光漏れ防止制御手段とを備える
ことを特徴とする情報処理装置。
【請求項７】
ユーザに映像を立体視させるメガネの制御方法であって、
前記メガネが備える映像透過手段が、表示装置が表示する左目映像を前記ユーザの左目に透過し、右目映像を前記ユーザの右目に透過する工程と、
前記メガネが備える発光手段が、前記メガネを装着したユーザの目に光を照射して瞳孔反応を誘発させる工程と、
前記メガネが備える光漏れ防止制御手段が、前記発光手段が前記ユーザの目に照射した光が前記ユーザの目と前記映像透過手段との間の領域から前記メガネ外部に漏れることを防止する工程とを有する
ことを特徴とするメガネの制御方法。
【発明の詳細な説明】
【技術分野】
【０００１】
本発明は、メガネ、情報処理装置、およびメガネの制御方法に関する。
【背景技術】
【０００２】
３Ｄ（次元）映像をユーザに視聴させるメガネが提案されている。メガネを装着したユーザが３Ｄ映像を視聴する際は、ユーザは、没入感を上げる為に周囲を暗くすることが多い。周囲が暗いと、ユーザの瞳孔径が広がる（散瞳）ので、焦点深度が浅くなる。その結果、ユーザの眼精疲労と違和感の原因である輻輳調節と焦点調節との不一致（輻輳調節矛盾）が顕著になる。
【０００３】
輻輳調節矛盾を軽減させる方法として、光をユーザの目に当てて瞳孔を収縮（縮瞳）させることによりピントの合う範囲を広げることが考えられる。この方法によれば、輻輳調節と焦点調節とを一致させることができるので、ユーザの眼精疲労や違和感が軽減される。特許文献１は、作業者の瞳孔径を縮小させるための照明を備えるメガネを開示している。また、特許文献２は、ユーザの頭部に装着され、該ユーザの目に外光を入射させることによって、ユーザの瞳孔反応を誘発させる眼精疲労除去装置を開示している。
【先行技術文献】
【特許文献】
【０００４】
【特許文献１】特開２００３−５１２０２号公報
【特許文献２】特開２００７−２９２２４号公報
【発明の概要】
【発明が解決しようとする課題】
【０００５】
しかし、特許文献１が開示するメガネによっては、光源から発せられた光がメガネ外部に漏れてしまう。従って、例えばユーザがこのメガネを装着して映像を視聴する場合、メガネ外部に漏れた光の影響で映像が見えづらくなったり、この映像を視聴している他のユーザの視聴の妨げになったりする。また、特許文献２が開示する眼精疲労除去装置は、外光を取り入れてユーザの目に入射させるので、ユーザの周囲が暗い環境では、充分な光量の外光を取り入れることができない。
【０００６】
本発明は、ユーザに映像を立体視させるとともに、輻輳調節矛盾軽減用の光源が発する光をメガネ外部に漏らさないメガネの提供を目的とする。
【課題を解決するための手段】
【０００７】
本発明の一実施形態のメガネは、ユーザに映像を立体視させるメガネであって、表示装置が表示する左目映像を前記ユーザの左目に透過し、右目映像を前記ユーザの右目に透過する映像透過手段と、前記メガネを装着したユーザの目に光を照射して瞳孔反応を誘発させる発光手段と、前記発光手段が前記ユーザの目に照射した光が前記ユーザの目と前記映像透過手段との間の領域から前記メガネ外部に漏れることを防止する光漏れ防止制御手段とを備える。
【発明の効果】
【０００８】
本発明のメガネによれば、ユーザに映像を立体視させるとともに、メガネが備える輻輳調節矛盾軽減用の光源が発する光をメガネ外部に漏らさないようにすることができる。従って、ユーザが視聴する映像や、この映像を視聴する他のユーザへの影響を抑えることができる。
【図面の簡単な説明】
【０００９】
【図１】本発明の実施例１の情報処理装置の構成を示す図である。
【図２】シャッタ式メガネの外観を説明する図である。
【図３】シャッタ式メガネの全体動作処理を説明するフローチャートである。
【図４】シャッタの開閉と光源の点灯・消灯のタイミングを説明する図である。
【図５】Ａ期間乃至Ｄ期間におけるシャッタ式メガネの動作状態を示す図である。
【図６】本発明の実施例２の情報処理装置の構成を示す図である。
【図７】偏光メガネからの光の漏れの防止を説明する図である。
【図８】偏光メガネをユーザの顔側から見た場合の図を示す。
【図９】図８に示す偏光メガネのＡ−Ａ線断面図である。
【発明を実施するための形態】
【００１０】
図１は、本発明の実施例１の情報処理装置の構成を示す図である。図１に示す情報処理装置は、映像表示装置１００とシャッタ式メガネ１５０とを備える。映像表示装置１００は、時分割で左目映像と右目映像とを交互に表示する。左目映像は、左目から見た映像である。右目映像は、右目から見た映像である。すなわち、左目映像と右目映像とは、視差を有する。シャッタ式メガネ１５０は、本実施例のメガネである。シャッタ式メガネ１５０は、映像表示装置１００が表示する左目映像をユーザの左目に透過し、右目映像をユーザの右目に透過させることを通じて、ユーザに映像を立体視させる。
【００１１】
映像表示装置１００は、入力部１０１、映像処理部１０２、出力部１０３、表示部１０４、同期制御部１０５、赤外線信号送信部１０６を備える。入力部１０１は、図示しない外部機器または映像表示装置１００内の映像蓄積部から取得した３Ｄ映像信号を入力する。入力部１０１は、３Ｄ映像信号を映像処理部１０２に出力する。３Ｄ映像信号は、左目映像と、右目映像と、時分割同期信号とを含む。時分割同期信号は、左目映像と右目映像とを時分割するタイミングを示す同期信号である。
【００１２】
映像処理部１０２は、３Ｄ映像信号から、左目映像と、右目映像と、時分割同期信号とを分離する。出力部１０３は、分離された左目映像、右目映像を、それぞれ表示部１０４に表示するのに適合する形式の信号に変換して表示部１０４に出力する。また、出力部１０３は、分離された時分割同期信号を表示部１０４に出力する。表示部１０４は、左目映像と右目映像とを時分割で表示する。すなわち、表示部１０４は、時分割同期信号が示すタイミングに従って、左目映像と右目映像とを交互に表示画面に表示する。
【００１３】
同期制御部１０５は、映像処理部が分離した時分割同期信号に基づいて、シャッタ制御信号を生成する。シャッタ制御信号は、シャッタ式メガネ１５０が備える左右のシャッタの開閉を制御する制御信号である。この例では、左右のシャッタは、液晶シャッタである。同期制御部１０５は、時分割同期信号が示すタイミング、つまり表示部１０４による左目映像と右目映像との表示の切り替えタイミングに同期するシャッタ制御信号を生成する。例えば、同期制御部１０５は、表示部１０４が左目映像を表示している期間は右のシャッタが閉じて左のシャッタが開き、右目映像を表示している期間は左のシャッタが閉じて右のシャッタが開くようにするシャッタ制御信号を生成する。赤外線信号送信部１０６は、同期制御部１０５が生成したシャッタ制御信号を、赤外線を用いた無線通信によって、シャッタ式メガネ１５０の赤外線信号受信部１５１に送信する。
【００１４】
シャッタ式メガネ１５０は、赤外線信号受信部１５１、シャッタ制御部１５２、シャッタ駆動部１５３、シャッタ部１５４、光源制御部１５５、光源駆動部１５６、光源部１５７、調整部１５８を備える。また、シャッタ式メガネ１５０は、シャッタ式メガネ１５０全体を制御する図示しない制御装置（この例ではＣＰＵ）を備える。
【００１５】
赤外線信号受信部１５１、シャッタ制御部１５２、シャッタ駆動部１５３、光源制御部１５５、光源駆動部１５６、および調整部１５８は、以下の処理を行う光漏れ防止制御手段として機能する。この光漏れ防止制御手段は、光源部１５７がユーザの目に照射した光がユーザの目とシャッタ部１５４との間の領域からシャッタ式メガネ外部に漏れることを防止する。
【００１６】
赤外線信号受信部１５１は、映像表示装置１００の赤外線信号送信部１０６からシャッタ制御信号を受信する制御信号受信手段として機能する。赤外線信号受信部１５１は、受信したシャッタ制御信号をシャッタ制御部１５２と光源制御部１５５とに渡す。シャッタ制御部１５２は、赤外線信号受信部１５１から渡されたシャッタ制御信号をシャッタ駆動波形に変換して、シャッタ駆動部１５３に渡す。シャッタ駆動波形は、シャッタ部１５４が備える左右のシャッタを開閉するタイミングを示す波形である。
【００１７】
シャッタ駆動部１５３は、シャッタ制御部１５２から渡されたシャッタ駆動波形に基づいて、シャッタ部１５４を駆動させ、左右のシャッタを交互に開閉させる。すなわち、シャッタ制御部１５２およびシャッタ駆動部１５３は、シャッタ制御信号に基づいて、時分割で左右のシャッタを開閉制御するシャッタ制御手段として機能する。
【００１８】
シャッタ部１５４は、左右のシャッタ、すなわち、図２（Ｂ）に示す左目用シャッタ１５８Ｌと右目用シャッタ１５８Ｒとを備える。左目用シャッタ１５８Ｌは、シャッタ式メガネ１５０を装着したユーザの左目に対向し、映像表示装置１００が表示する左目映像をユーザの左目に透過する。
【００１９】
右目用シャッタ１５８Ｒは、シャッタ式メガネ１５０を装着したユーザの右目に対向し、映像表示装置１００が表示する右目映像をユーザの右目に透過する。従って、シャッタ部１５４は、映像表示装置１００が表示する映像をユーザの目に透過する映像透過手段として機能する。
【００２０】
光源制御部１５５は、赤外線信号受信部１５１から渡されたシャッタ制御信号と、調整部１５８が入力した調整情報とに基づいて、光源制御信号を生成する。光源制御信号は、光源部１５７が備える左右の光源を発光させる制御信号である。また、調整情報は、光源制御信号のデューティ比を決める信号を示すである。このデューティ比により、光源からの発せられる光の明るさが決まる。調整情報が示す信号は、シャッタ制御信号の周波数より遥かに高い周波数でＰＷＭ（Pulse Width Modulation）制御されている。
【００２１】
光源制御部１５５は、生成した光源制御信号を、光源制御波形に変換して、光源駆動部１５６に渡す。光源制御波形は、光源部１５７が備える左右の光源を点灯・消灯するタイミングを示す波形である。光源駆動部１５６は、光源制御部１５５から渡された光源制御波形に基づいて、光源部１５７を駆動させ、左右の光源を交互に発光させる。光源部１５７は、左右の光源、すなわち、図２（Ｂ）に示す左目用光源１５７Ｌと右目用光源１５７Ｂとを備える発光手段である。
【００２２】
左目用光源１５７Ｌは、シャッタ式メガネ１５０を装着したユーザの左目に光を照射する。右目用光源１５７Ｒは、シャッタ式メガネ１５０を装着したユーザの右目に光を照射する。これにより、ユーザの目の瞳孔反応を誘発させ、輻輳調節矛盾が軽減される。すなわち、左目用光源１５７Ｌと右目用抗原１５７Ｒとは、輻輳調節矛盾軽減用の光源である。本実施例のメガネの制御方法は、図１に示すシャッタ式メガネ１５０が備える処理部の機能によって実現される。
【００２３】
図２はシャッタ式メガネの外観を説明する図である。図２（Ａ）は、シャッタ式メガネ１５０の斜視図を示す。シャッタ式メガネ１５０は、ユーザが装着したときにユーザの顔面と密着する形状（例えば、ゴーグルのような形状）を有する。また、赤外線受信部１５１は、例えば、図２（Ａ）中に示すように、シャッタ式メガネの前面に設けられている。これにより、赤外線受信部１５１が映像表示装置１００側に向く。
【００２４】
図２（Ｂ）は、シャッタ式メガネをユーザの顔側から見た場合の図を示す。左目用光源１５７Ｌは、ユーザの左目に効率よく光を照射できる位置に設けられる。図２（Ｂ）に示す例では、左目用光源１５７Ｌは、シャッタ式メガネ１５０のリムの内側（ユーザの顔側）であって、左目用シャッタ１５８Ｌの直上に設けられる。シャッタ式メガネ１５０のリムは、左右のシャッタを囲む縁である。
【００２５】
また、右目用光源１５７Ｒは、ユーザの右目に効率よく光を照射できる位置に設けられる。図２（Ｂ）に示す例では、右目用光源１５７Ｒは、シャッタ式メガネ１５０のリムの内側であって、右目用シャッタ１５８Ｒの直上に設けられる。また、ブリッジ３００は、光を遮る遮光手段である。
【００２６】
ブリッジ３００は、シャッタ式メガネ１５０を装着したユーザの左目と左目用シャッタ１５８Ｌとの間に形成される領域（左側領域）と、該ユーザの右目と右目用シャッタ１５８Ｒとの間に形成される領域（右側領域）との間に設けられる。ブリッジ３００は、ユーザによるシャッタ式メガネ１５０の装着時に眉間に密着し遮光できる形状を有する。これにより、左目用光源１５７Ｌから照射された光は、右側領域に漏れない。また、右目用光源１５７Ｒから照射された光は、左側領域に漏れない。
【００２７】
図３は、シャッタ式メガネの全体動作処理を説明するフローチャートである。シャッタ式メガネ１５０が備えるＣＰＵが、図３に示すフローチャートに従った処理を実行する。まず、シャッタ式メガネ１５０が、映像表示装置１００からシャッタ制御信号を受信したかを判断する（ステップＳ１）。シャッタ式メガネ１５０が、映像表示装置１００からシャッタ制御信号を受信していない場合は、ステップＳ１に戻る。シャッタ式メガネ１５０が、映像表示装置１００からシャッタ制御信号を受信した場合は、ステップＳ２に進む。
【００２８】
次に、シャッタ式メガネ１５０が、ユーザ操作によって疲労軽減モードが選択されているかを確認する（ステップＳ２）。疲労軽減モードは、光源からユーザの目に光を照射することによってユーザの眼精疲労を軽減させる動作モードである。疲労軽減モードが選択されていない場合は、シャッタ式メガネ１５０は、シャッタ動作を行い（ステップＳ４）、ステップＳ５に進む。シャッタ動作は、左目用シャッタ１５８Ｌと右目用シャッタ１５８とを開閉制御する動作である。疲労軽減モードが選択されている場合は、シャッタ式メガネ１５０は、シャッタ動作を行うとともに、シャッタ動作に同期させて光源発光動作を行い（ステップＳ３）、ステップＳ５に進む。
【００２９】
次に、シャッタ式メガネ１５０が、電源または映像表示装置１００から受信するシャッタ制御信号がＯＦＦであるかを判断する（ステップＳ５）。電源または映像表示装置１００から受信するシャッタ制御信号がＯＦＦである場合は、動作を終了する。電源または映像表示装置１００から受信するシャッタ制御信号がＯＦＦでない場合は、ステップＳ２に戻る。
【００３０】
図４は、シャッタの開閉と光源の点灯・消灯のタイミングを説明する図である。図４（Ａ）は、左目用シャッタ１５８Ｌの開閉タイミングを示す。図４（Ｂ）は、右目用シャッタ１５８Ｒの開閉タイミングを示す。図４（Ｃ）は、左目用光源１５７Ｌの点灯・消灯のタイミングを示す。図４（Ｄ）は、右目用光源１５７Ｒの点灯・消灯のタイミングを示す。図４（Ｅ）は、映像表示装置の表示部１０４が表示画面に表示する映像の切り替えタイミングを示す。図４（Ｆ）は、シャッタ制御信号を示す。
【００３１】
図４中のＡ期間は、表示部１０４が映像を表示していない期間である。表示部１０４が動作を開始すると、図４（Ｅ）に示すように、表示画面に左目映像が表示される。Ｃ期間は、左目映像が表示される期間である。Ｃ期間が終了すると、Ｂ期間が開始する。Ｂ期間は、左目用シャッタ１５８Ｌおよび右目用シャッタ１５８Ｒの双方が閉じているブランキング期間である。
【００３２】
ブランキング期間は、左目映像と右目映像とが同期間にユーザの目に映ることのないように、予め決められている。ブランキング期間は、例えばＨＤ画像の場合、約１．１３ｍｓ（１７０ライン分）である。ブランキング期間（Ｂ期間）において左目用シャッタ１５８Ｌおよび右目用シャッタ１５８Ｒの双方が閉じることによって、クロストークを防ぐことができる。また、Ｂ期間中は、表示部１０４は、左目映像と右目映像とを表示画面に表示しない。
【００３３】
Ｂ期間の終了後、Ｄ期間が開始する。Ｄ期間は、右目映像が表示される期間である。そして、Ｄ期間が終了すると、またＢ期間を挟み、Ｃ期間になる。そして、Ｂ期間を挟み、Ｄ期間になる。以上説明したように、Ａ期間の後、Ｃ期間乃至Ｄ期間が繰り返される。なお、Ｃ期間とＤ期間の順序は入れ替わってもよい。また、Ｂ期間が設けられていなくてもよい。
【００３４】
図４（Ｆ）に示すように、シャッタ制御信号は、Ｈｉｇｈ（図中ではＨと記載）またはＬｏｗ（図中ではＬと記載）の２レベルの信号である。ＨｉｇｈとＬｏｗの周期は、時分割同期信号に基づいている。シャッタ制御部１５２は、シャッタ制御信号の立ち上がり、立ち下りを検出し、検出結果に基づいてシャッタ駆動波形を生成する。シャッタ制御信号の立ち上がりは、シャッタ制御信号のレベルがＬｏｗからＨｉｇｈになることである。シャッタ制御信号の立ち下がりは、シャッタ制御信号のレベルがＨｉｇｈからＬｏｗになることである。
【００３５】
シャッタ駆動部１５３は、このシャッタ駆動波形に従って、シャッタ制御信号の立ち下がり時に右目用シャッタ１５８Ｒが閉じ、Ｂ期間後に左目シャッタ１５８Ｌが開くようにシャッタ部１５４を制御する。また、シャッタ駆動部１５３は、このシャッタ駆動波形に従って、シャッタ制御信号の立ち上がり時に左目用シャッタ１５８Ｌが閉じ、Ｂ期間後に右目用シャッタ１５８Ｒが開くようにシャッタ部１５４を制御する。
【００３６】
また、光源制御部１５５は、シャッタ制御信号の立ち上がり、立ち下りを検出し、検出結果と、調整情報とに基づいて、光源制御信号を生成する。光源制御部１５５は、生成した光源制御信号を光源制御波形に変換して、光源駆動部１５６に渡す。光源駆動部１５６は、この光源制御波形に従って、シャッタ制御信号の立ち下がり時に右目用光源１５７Ｒが発光（点灯）し、Ｂ期間後に左目用光源Ｌが発光を停止（消灯）するように光源部１５７を制御する。
【００３７】
また、光源駆動部１５６は、この光源制御波形に従って、シャッタ制御信号の立ち上がり時に左目用光源１５７Ｌが発光（点灯）し、Ｂ期間後に右目用光源１５７Ｒが発光を停止（消灯）するように光源部１５７を制御する。
【００３８】
すなわち、光源制御部１５５および光源駆動部１５６は、以下の処理を行う光源制御手段として機能する。この光源制御手段は、シャッタ制御信号に基づいて、右目用シャッタ１５８Ｒまたは左目用シャッタ１５８Ｌが閉じられるかを判断する。具体的には、光源制御手段は、シャッタ制御信号の立ち上がりを検知した場合に、左目用シャッタ１５８Ｌが閉じられると判断する。
【００３９】
光源制御手段は、シャッタ制御信号の立ち下がりを検知した場合に、右目用シャッタ１５８Ｒが閉じられると判断する。そして、光源制御手段は、右目用シャッタ１５８Ｒが閉じられる場合に、右目用光源１５７Ｒから光を照射させるとともに左目用光源１５７Ｌからの光の照射を停止させる。光源制御手段は、左目用シャッタ１５８Ｌが閉じられる場合に、左目用光源１５７Ｌから光を照射させるとともに右目用光源１５７Ｒからの光の照射を停止させる。
【００４０】
図５は、図４に示すＡ期間乃至Ｄ期間におけるシャッタ式メガネの動作状態を示す図である。図５（Ａ）は、Ａ期間における、映像の表示状態とシャッタ式メガネの動作状態を示す。Ａ期間においては、表示部１０４は、映像を表示していない。また、左目用光源１５７Ｌ、右目用光源１５７Ｒは、共に発光を停止している。また、左目用シャッタ１５８Ｌ、右目用シャッタ１５８Ｒは、共に開いている。
【００４１】
図５（Ｂ）は、Ｂ期間における、映像の表示状態とシャッタ式メガネの動作状態を示す。Ｂ期間においては、表示部１０４は、左目映像または右目映像を表示しているか、もしくは映像を表示していない。また、左目用光源１５７Ｌ、右目用光源１５７Ｒは、共に発光している。また、左目用シャッタ１５８Ｌ、右目用シャッタ１５８Ｒは、共に閉じている。
【００４２】
従って、左目用光源１５７Ｌから左目に照射される光は、閉じている左目用シャッタ１５８Ｌによって遮光され、シャッタ式メガネ１５０の外部に漏れない。また、右目用光源１５７Ｒから右目に照射される光は、閉じている右目用シャッタ１５８Ｒによって遮光され、シャッタ式メガネ１５０の外部に漏れない。
【００４３】
図５（Ｃ）は、Ｃ期間における、映像の表示状態とシャッタ式メガネの動作状態を示す。Ｃ期間においては、表示部１０４は、左目映像を表示している。また、左目用光源１５７Ｌは発光を停止しており、右目用光源１５７Ｒは発光している。また、左目用シャッタ１５８Ｌは開いており、右目用シャッタ１５８Ｒは閉じている。従って、右目用光源１５７Ｒから右目に照射される光は、閉じている右目用シャッタ１５８Ｒによって遮光され、シャッタ式メガネ１５０の外部に漏れない。
【００４４】
図５（Ｄ）は、Ｄ期間における、映像の表示状態とシャッタ式メガネの動作状態を示す。Ｄ期間においては、表示部１０４は、右目映像を表示している。また、左目用光源１５７Ｌは発光しており、右目用光源１５７Ｒは発光を停止している。また、左目用シャッタ１５８Ｌは閉じており、右目用シャッタ１５８Ｒは開いている。従って、左目用光源１５７Ｌから左目に照射される光は、閉じている左目用シャッタ１５８Ｌによって遮光され、シャッタ式メガネ１５０の外部に漏れない。
【００４５】
すなわち、シャッタ式メガネ１５０は、右目用シャッタ１５８Ｒが閉じるタイミングで右目用光源１５７Ｒを発光させる（図５（Ｃ）を参照）。また、シャッタ式メガネ１５０は、左目用シャッタ１５８Ｌが閉じるタイミングで左目用光源１５７Ｌを発光させる（図５（Ｄ）を参照）。従って、映像が見えていない側の目に光源からの光が入り、この光源からの光がシャッタにより遮光される。
【００４６】
以上説明したシャッタ式メガネ１５０によれば、ユーザに映像を立体視させるとともに、輻輳調節矛盾軽減用の光源が発する光をメガネ外部に漏らさないようにすることができる。その結果、ユーザが視聴する映像や、この映像を視聴する他のユーザへの影響を抑えることができる。
【００４７】
なお、本実施例では、シャッタが閉じている側つまり映像が見えていない側の目に光源の光が入り瞳孔の収縮を誘発するが、人間の反射である間接対光反射によって反対側の目つまり映像が見えている側の目の瞳孔も収縮する。従って、ユーザが見ている映像に影響を与えず瞳孔を収縮させることができる。特に、光源として波長が６００ｎｍ以上かつ可視光線の範囲内である主に赤色の光源を用いた場合、網膜上の視細胞内のロドプシンの分解が抑えられ明順応を遅らせることができるので、映像に与える影響をより少なくすることができる。
【００４８】
図６は、本発明の実施例２の情報処理装置の構成を示す図である。図６に示す情報処理装置は、映像表示装置２００と偏光メガネ１６０とを備える。映像表示装置２００は、互いに直交する偏光がかけられた左目映像と右目映像とを合成して表示画面に表示する。映像表示装置２００がかける偏光は直線偏光であっても円偏光であってもよい。
【００４９】
偏光メガネ１６０は、本実施例のメガネである。偏光メガネ１６０は、映像表示装置２００が表示する映像に含まれる左目映像をユーザの左目に透過し、右目映像をユーザの右目に透過させることを通じて、映像表示装置２００が表示する映像をユーザに立体視させる。
【００５０】
映像表示装置２００は、入力部１１１、映像処理部１１２、出力部１１３、表示部１１４を備える。入力部１１１は、左目映像と右目映像とを入力する。映像処理部１１２は、入力された左目映像と右目映像とを、ラインバイライン方式またはサイドバイサイド方式で合成し、合成映像を出力部１１３に入力する。表示部１１４は、入力された合成映像に偏光をかけて表示画面に表示する。
【００５１】
具体的には、表示部１１４は、合成映像に含まれる左目映像に垂直方向または水平方向のいずれかの偏光方向の偏光をかける。また、表示部１１４は、左目映像にかけられた偏光の偏光方向と直交する方向の偏光を右目映像にかける。このために、表示部１１４は、映像に垂直方向の偏光をかける偏光子と、映像に水平方向の偏光をかける偏光子とを備える。
【００５２】
偏光メガネ１６０は、調整部４０１、光源制御部４０２、左光源駆動部４０３、右光源駆動部４０４、左目用光源４０５、右目用光源４０６、左偏光子４０７、右偏光子４０８、左偏光レンズ４０９、右偏光レンズ４１０を備える。そして、本実施例のメガネの制御方法は、図６に示す偏光メガネ１６０が備える処理部の機能によって実現される。
【００５３】
調整部４０１は、ユーザの操作に従って、左目用光源４０５と右目用光源４０６の光量等を調整する調整情報を入力する。光源制御部４０２は、調整部４０１が入力した調整情報に基づいて光源制御信号を生成する。光源制御信号は、左光源駆動部４０３と右光源駆動部４０４とを駆動制御する制御信号である。光源制御信号はフリッカを感じない程度の周波数でＰＷＭ制御されている。光源制御信号のデューティ比で光源の明るさが調整される。
【００５４】
左光源駆動部４０３は、光源制御部４０２が生成した光源制御信号に基づいて、左目用光源４０５から、ユーザの瞳孔反応を誘発させる光を照射させる。また、右光源駆動部４０４は、光源制御部４０２が生成した光源制御信号に基づいて、右目用光源４０６から、ユーザの瞳孔反応を誘発させる光を照射させる。すなわち、左目用光源４０５および右目用光源４０６は、偏光メガネ１６０を装着したユーザの目に光を照射して瞳孔反応を誘発させる発光手段として機能する。
【００５５】
左偏光レンズ４０９は、偏光メガネ１６０を装着したユーザの左目に対向するレンズである。左偏光レンズ４０９は、映像表示装置２００が表示した合成画像に偏光をかけ、合成画像に含まれる左目映像だけを透過する。すなわち、左偏光レンズ４０９は、合成画像に含まれる左目映像を透過し、右目映像を透過しない第１の偏光方向を有する。
【００５６】
右偏光レンズ４１０は、偏光メガネ１６０を装着したユーザの左目に対向するレンズである。右偏光レンズ４１０は、映像表示装置２００が表示した合成画像に偏光をかけ、合成画像に含まれる右目映像だけを透過する。すなわち、右偏光レンズ４１０は、合成画像に含まれる右目映像を透過し、左目映像を透過しない第２の偏光方向を有する。
【００５７】
上述したことから、左偏光レンズ４０９および右偏光レンズ４１０は、表示装置が表示する左目映像をユーザの左目に透過し、右目映像をユーザの右目に透過する映像透過手段として機能する。なお、左偏光レンズ４０９、右偏光レンズ４１０がかける偏光は、直線偏光であっても円偏光であってもよい。
【００５８】
左偏光子４０７および右偏光子４０８は、以下の処理を行う光漏れ防止制御手段として機能する。この光漏れ防止制御手段は、発光手段である左目用光源４０５および右目用光源４０６がユーザの目に照射した光がユーザの目と左偏光レンズ４０９および右偏光レンズ４１０との間の領域から偏光メガネ外部に漏れることを防止する。
【００５９】
左偏光子４０７は、左目用光源４０５とユーザの左目との間に設けられている。左偏光子４０７は、該左目用光源４０５が照射する光に、左偏光レンズ４０９が有する第１の偏光方向と直交する方向（例えば、水平方向）の偏光をかける第１の偏光部として機能する。右偏光子４０８は、右目用光源４０６とユーザの右目との間に設けられている。
【００６０】
右偏光子４０８は、該右目用光源４０６が照射する光に、右偏光レンズ４１０が有する第２の偏光方向と直交する方向（例えば、垂直方向）の偏光をかける第２の偏光部として機能する。なお、左偏光子４０７、右偏光子４０８がかける偏光は、直線偏光であっても円偏光であってもよい。
【００６１】
図７は、偏光メガネからの光の漏れの防止を説明する図である。図７では、説明の便宜上、左偏光子４０７、左偏光レンズ４０９、右偏光子４０８、右偏光レンズ４１０を模式的に表現している。左目用光源４０５が照射した光と右目用光源４０６が照射した光とは、不規則にあらゆる方向に振動している。左偏光子４０７は、左目用光源４０５が照射した光を所定の偏光方向（例えば水平方向）に偏光して左偏光光とする。この左偏光光がユーザの左目に照射することによって、瞳孔反応を誘発させる。左偏光子４０７は、左偏光レンズ４０９が有する偏光方向と直交する方向の偏光をかけるので、左偏光光は、左偏光レンズ４０９によって遮光される。従って、左偏光光が偏光メガネ１６０の外部に漏れることを防止できる。
【００６２】
また、右偏光子４０８は、右目用光源４０６が照射した光を所定の偏光方向（例えば垂直方向）に偏光して右偏光光とする。この右偏光光がユーザの左目に照射することによって、瞳孔反応を誘発させる。右偏光子４０８は、右偏光レンズ４１０が有する偏光方向と直交する方向の偏光をかけるので、右偏光光は、右偏光レンズ４１０によって遮光される。従って、右偏光光が偏光メガネ１６０の外部に漏れることを防止できる。
【００６３】
図８は、偏光メガネをユーザの顔側から見た場合の図を示す。左目用光源４０５と左偏光子４０７とは、左目用光源４０５が照射した光が左偏光子４０７によって偏光されてユーザの左目に効率良く照射される位置に設けられている。つまり、左偏光子４０７は、左目用光源４０５が照射した全ての光を偏光可能な位置に設けられている。
【００６４】
図８に示す例では、左目用光源４０５と左偏光子４０７とは、偏光メガネ１６０のリムの内側（ユーザの顔側）であって、左偏光レンズ４０９の直上に設けられる。右目用光源４０６と右偏光子４０８とは、右目用光源４０６が照射した光が右偏光子４０８によって偏光されてユーザの右目に効率良く照射される位置に設けられている。つまり、右偏光子４０８は、右目用光源４０６が照射した全ての光を偏光可能な位置に設けられている。
【００６５】
図８に示す例では、右目用光源４０６と右偏光子４０８とは、偏光メガネ１６０のリムの内側であって、右偏光レンズ４１０の直上に設けられる。また、ブリッジ５００は、光を遮る遮光手段である。ブリッジ５００は、偏光メガネ１６０を装着したユーザの左目と左偏光レンズ４０９との間に形成される領域と、該ユーザの右目と右偏光レンズ４１０との間に形成される領域との間に設けられる。ブリッジ５００は、ユーザによる偏光メガネ１６０の装着時に眉間に密着し遮光できる形状を有する。
【００６６】
図９は、図８に示す偏光メガネのＡ−Ａ線断面図である。図９に示すように、左目用光源４０５と左偏光子４０７とは、ユーザの左目が左偏光レンズ４０９を透過して表示装置を見る際に視線を遮らず、ユーザの目に光を照射しやすい位置に設けられている。
【００６７】
以上説明した偏光メガネ１６０によれば、ユーザに映像を立体視させるとともに、メガネが備える輻輳調節矛盾軽減用の光源が発する光をメガネ外部に漏らさないようにすることができる。
【００６８】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００６９】
１００  映像表示装置
１５０  シャッタ式メガネ
【図１】
2012083657.tif 000003
【図２】
2012083657.tif 000004
【図３】
2012083657.tif 000005
【図４】
2012083657.tif 000006
【図５】
2012083657.tif 000007
【図６】
2012083657.tif 000008
【図７】
2012083657.tif 000009
【図８】
2012083657.tif 000010
【図９】
2012083657.tif 000011